(57)【要約】開いた中央領域を囲む平面図ではＯ字形の支持フレームを備え、支持フレームが平面図ではそれぞれＵ字形の第１、第２部材を含み、各部材が２つのサイド・アームが延びているベース・フレームの形状であり、第１、第２部材がＯ字形の支持フレームの開いた中央領域の側部を形成するように入れ子式に伸縮して係合するサイド・アームをもち、入れ子式に伸縮する係合が、ある距離の範囲にわたって調節可能な第２ベース・フレームから第１ベース・フレームが離され、所定の間隔で第２部材へ第１部材を一時的に固定し、第１稼働位置で、第１部材のベース・フレームを第１レベルの位置に調節し、第２部材が、第１部材から離れた位置で、脚又は各脚の一端またはその付近で、第２部材のベース・フレームまたはそのサイド・アームに回転自在に取り付けられた少なくとも１つの脚によって、第２稼働位置で第２レベルに調節でき、脚または各脚の前記一端の反対側の端部が第２稼働位置の位置に調節でき、第２レベルを第１レベルから及び下へずらすことができるように構成されている構造ユニットが提供される。
2006502331.tif 000002
【特許請求の範囲】
【請求項１】
開いた中央領域を囲む平面図ではＯ字形の支持フレームを備え、その支持フレームが平面図ではそれぞれＵ字形の第１、第２部材を含み、各部材は２つのサイド・アームが延びているベース・フレームの形状であり、第１、第２部材がＯ字形の支持フレームの開いた中央領域の側部を区画するように入れ子式に伸縮して係合するサイド・アームをもち、入れ子式に伸縮する係合が、
ある距離の範囲にわたって調節可能な第２ベース・フレームから第１ベース・フレームが離され、
所定の間隔で第２部材へ第１部材を一時的に固定し、
第１稼働位置で、第１部材のベース・フレームを第１レベルの位置に調節し、
第２部材が、第１部材から離れた位置で、脚又は各脚の一端又はその付近で、第２部材のベース・フレーム又はそのサイド・アームに回転自在に取り付けられた少なくとも１つの脚によって、第２稼働位置で第２レベルに調節でき、脚又は各脚の前記一端の反対側の端部が第２稼働位置の位置に調節でき、第２レベルを第１レベルから及び下へずらすことができるように構成されていることを特徴とする構造ユニット。
【請求項２】
前記脚又は各脚が長さを変え、したがって前記支持フレームを水平に、又は水平に対し所定の角度で維持することができることを特徴とする請求項１に記載の構造ユニット。
【請求項３】
第１稼働状態では、開いた中央領域を通って前記構造ユニットの上からの物品又は人が不注意に落下するのを防止するために、前記支持フレームの前記開いた中央領域を塞ぐ働きをし、第２稼働状態では、前記中央領域を通ってアクセスすることができるように引き戻すことができるプラットホーム部材を特徴とする前記請求項のいずれかに記載の構造ユニット。
【請求項４】
前記プラットホーム部材は、前記第１稼働状態にあるとき、前記開いた中央領域を通して視界を得ることを可能にする、少なくとも部分的には露出稼働構造であることを特徴とする請求項３に記載の構造ユニット。
【発明の詳細な説明】
【技術分野】
【０００１】
本発明は構造ユニットに関する。
【背景技術】
【０００２】
１階レベルより高い建物を建てるとき、通常、その階と別の階の間に階段を設置するために床に空間を残す必要が生じる。そのような開口は、空間を通って、人又は物品が不注意により落下することから起こる事故を防ぐために、どうにかして保護されなければならない。しかし、使用される保護の形態が、受け入れられる使用のためにアクセス問題に通じないことが好ましい。多くの提案が、そのような空間を保護することを可能にするために行われた。しかし、それらは、人の通行又は物品の移動のための空間使用の阻止でないとしても、制限になった。
【発明の開示】
【課題を解決するための手段】
【０００３】
本発明によると、開いた中央領域を囲む平面図ではＯ字形の支持フレームを備え、その支持フレームが平面図ではそれぞれＵ字形の第１、第２部材を含み、各部材は２つのサイド・アームが延びているベース・フレームの形状であり、第１、第２部材がＯ字形の支持フレームの開いた中央領域の側部を区画するように入れ子式に伸縮して係合するサイド・アームをもち、入れ子式に伸縮する係合が、
ある距離の範囲にわたって調節可能な第２ベース・フレームから第１ベース・フレームが離され、
所定の間隔で第２部材へ第１部材を一時的に固定し、
第１稼働位置で、第１部材のベース・フレームを第１レベルの位置に調節し、
第２部材が、第１部材から離れた位置で、脚又は各脚の一端又はその付近で、第２部材のベース・フレーム又はそのサイド・アームに回転自在に取り付けられた少なくとも１つの脚によって、第２稼働位置で第２レベルに調節でき、脚又は各脚の前記一端の反対側の端部が第２稼働位置の位置に調節でき、第２レベルを第１レベルから及び下へずらすことができるように構成されていることを特徴とする構造ユニットが提供される。
【０００４】
本発明の第１の好ましい態様によれば、脚又は各脚が長さを変え、それによって支持フレームを水平に、又は水平に対し所定の角度で維持させることができるようになっている。
【０００５】
本発明の又は、その第１の好ましい態様の第２の好ましい態様によれば、第１稼働状態では、構造ユニットの上から物品又は人が支持フレームの開いている中央領域を通って不注意に落下するのを防止するために、支持フレームの開いた中央領域を塞ぐ働きをし、第２稼働状態では、中央領域を通ってアクセスできるように引き戻すことができるプラットホーム部材が提供される。通常、プラットホーム部材が第１稼働状態にあるとき、プラットホーム部材は、開いた中央領域を通して視界を得ることを可能にする、少なくとも部分的には露出稼働構造である。
【０００６】
次に、本発明の例示的な実施形態が、構造ユニットの添付の図面に関して説明される。
【発明を実施するための最良の形態】
【０００７】
図は、様々に構造ユニット１１を示す。
【０００８】
平面図では、それぞれがＵ字形である第１部材１３と第２部材１４から構成されるユニット１１が支持フレームを含む。第１部材１３はベース・フレーム１５を含み、サイド・アーム１６、１７がそこから延びている。第２部材１４は、サイド・アーム１９、２０が延びているベース・フレーム１８の形状である。
【０００９】
サイド・アーム１６はサイド・アーム２０と入れ子式に伸縮され、サイド・アーム１７はサイド・アーム１９と入れ子式に伸縮され、したがって開いた中央領域１２の周りにＯ字形の支持フレームを形成している。入れ子式に伸縮する係合が第２ベース・フレーム１８からの第１ベース・フレーム１５への間隔Ｓを調整できるようにし、その間隔を満たされるギャップに応じた距離によって変化させることができる。端部１９Ａ、２０ＡのクランプＣ１、Ｃ２それぞれが、第１部材１３と第２部材１４の入れ子式に伸縮されるサイド・アームの間隔Ｓを所定の値に固定する。
【００１０】
第１部材１３のベース・フレーム１５は、下の床Ｆ１から上へ高さＬ１の床Ｆ２の開口２０にユニット１１を配置させるフランジ１５Ａを含む。開口２０が階段Ｓの階段室の上部を形成する。
【００１１】
サイド・アーム１９は支柱３１の端部３０に回転自在に取り付けられている。支柱１は、上側筒３１Ａと調節可能な下側脚３１Ｂとを備え、入れ子式に伸縮する。止め部材３２が、図２に示すように、支柱３１を延ばされた状態で固定することができる。ユニット１１が使用されないとき、支柱３１を折りたたんで、サイド・アーム１９の下に置いておくことができる。
【００１２】
サイド・アーム２０は、上側筒３５Ａと調節可能な下側脚３５Ｂとを備える入れ子式に伸縮する支柱３５の端部３４に回転自在に取り付けられる。止め部材３６が、図２の支柱３１の位置に示すのに比較できる延ばされた状態に支柱３５を固定する。ユニット１１が使用されないとき、支柱３５を折りたたんで、サイド・アーム２０の下に置いておくことができる。
【００１３】
使用時に、図２に示すように、支柱３１、３５が延ばされ、止め部材３２、３６で固定し、脚３１Ｂ、３５Ｂを伸ばして、サイド・アーム１６、１７、１９、２０がほぼ水平な状態で、第２ベース・フレーム１８が開口２０内に確実に配置されるようにして、締め付ける。ユニット１１のこの構成は、安定した構造を提供し、階段Ｓの邪魔をせず、支柱の間に（図３参照）開かれた空間Ａを残す。したがって、人や装置が床Ｆ１、Ｆ２の間を通過するための階段Ｓの下へ容易に近づくことができる。
【産業上の利用可能性】
【００１４】
構造ユニット１１は、開口２０の内部に安定して取り付けられる。軽いがかなりの強度の強いアルミニウム合金の折りたたみ格子（図３）の形状の閉鎖部材４０をさらに備えてもよい。この目的に適切な閉鎖部材は我々の英国特許出願第２３３９８２４号の主題の安全ユニットである。この部材４０は、容易に、開口２０を閉じるために所定の場所に滑らせることができ、又は開口２０にアクセスするために滑らして外すことができる。露出稼働構造なので、階段Ｓを使用することを望む人（上がる場合でも下る場合でも）が、入ろうとする領域を見ることができ、閉鎖部材４０を移動させることが安全かどうかを確認することができる。所定の位置にあるとき、閉鎖部材４０は、人々又は物体が開口２０を通って不注意で落下することがないように予防する働きをする。
【００１５】
第２ベース・フレーム１８は、空間内にあり、そこで入れ子式に伸縮する支柱３１、３５によって支持される。他の場合で空間がフレーム１８より広いとき、フレーム１８を横方向に支持させるために、空間２０の側部に設置するように外に押し出され、フレーム１８の横方向の運動を制限するために固定され、ユニット１１を安定させることができる一対の横の支柱４１、４２が設けられる。
【図面の簡単な説明】
【００１６】
【図１】平面図である。
【図２】図１の矢印IIの方向の側面図である。
【図３】可動プラットホームと組み合わせて使用される図１、２のユニットの重要な部分のモック・アップの絵画的端面図である。
【図１】
2006502331.tif 000003
【図２】
2006502331.tif 000004
【図３】
2006502331.tif 000005
【国際調査報告】
2006502331.tif 000006
2006502331.tif 000007